(57)【特許請求の範囲】
【請求項１】
ハンドオーバー手続の開始前に第１ベース局に無線接続され、ハンドオーバー手続の終了後に第２ベース局に無線接続される移動端末をもった無線通信用の少なくとも第１・第２ベース局からなり、第１ベース局が第１リンクを通してデータ・パケット・スイッチに結合されることができ、第２ベース局が第２リンクを通してデータ・パケット・スイッチに結合されることができ、第１リンクを通して到来する第１データ・パケットが第１ヘッダー部と第１データ部からなり、第２リンクを通して到来する第２データ・パケットが第２ヘッダー部と第２データ部からなり、第３リンクを通して送信される第３データ・パケットが第３ヘッダー部と第３データ部からなる遠隔送信システムにおいて、
ハンドオーバー手続中の所定の時間、前記第１リンク及び第２リンクが前記第３リンクに接続され、且つ、少なくとも一部のハンドオーバー手続の間、第１ヘッダー部と第２ヘッダー部の双方を第３ヘッダー部に変換するための変換手段を前記データ・パケット・スイッチに設け、前記第３データ部が少なくとも第１・第２データ部の一方の少なくとも一部からなることを特徴とする遠隔送信システム。
【請求項２】
前記データ・パケットスイッチがさらに、少なくとも一部のハンドオーバー手続の間、第４リンクを通って到着する第４データ・パケットの第４ヘッダー部を、第１リンクを通って送信される第５データ・パケットの第５ヘッダー部と第２リンクを通って送信される第６データ・パケットの第６ヘッダー部の両方に変換するための変換手段を有していることを特徴とする請求の範囲第１項記載の遠隔通信システム。
【請求項３】
第１データ・パケットの第１ヘッダー部がそれぞれ第１値からなるＩＤ値を有し、第２データ・パケットの第２ヘッダー部がそれぞれ第２値からなるＩＤ値を有し、第３データ・パケットの第３ヘッダー部がそれぞれ第３値からなるＩＤ値を有していることを特徴とする請求の範囲第１項又は第２項記載の遠隔通信システム。
【請求項４】
前記変換手段が、互いに等しい第１値と第２値双方を第３値に変換するための手段を有することを特徴とする請求の範囲第３項記載の遠隔通信システム。
【請求項５】
前記変換手段がさらに、互いに異なる第１値と第２値双方を第３値に変換するための手段を有することを特徴とする請求の範囲第３項記載の遠隔通信システム。
【請求項６】
第１リンクを通して第１ヘッダー部と第１データ部からなる第１データ・パケットを受信し、それに応じて、第３リンクを通して第３ヘッダー部と第３データ部からなる第３データ・パケットを送信し、第２リンクを通して第２ヘッダー部と第２データ部からなる第２データ・パケットを受信し、それに応じて第４リンクを通して第４ヘッダー部と第４データ部からなる第４データ・パケットを送信するためのデータ・パケットスイッチであって、
ハンドオーバー手続中の所定の時間、前記第１リンク及び第２リンクが前記第３リンクに接続され、且つ、少なくとも一部のハンドオーバー手続の間、第１ヘッダー部と第２ヘッダー部双方を第３ヘッダー部に変換するための変換手段を有し、第３データ部が少なくとも第１・第２データ部の一方の少なくとも一部からなることを特徴とするデータ・パケットスイッチ。
【請求項７】
第１データ・パケットの第１ヘッダー部がそれぞれ第１値からなるＩＤ部を有し、第２データ・パケットの第２ヘッダー部がそれぞれ第２値からなるＩＤ値を有し、第３データ・パケットの第３ヘッダー部がそれぞれ第３値からなるＩＤ値を有していることを特徴とする請求の範囲第６項記載のデータ・パケットスイッチ。
【請求項８】
前記変換手段が、少なくとも前記時間インターバルの間、互いに等しい第１値と第２値双方を第３値に変換するための手段を有していることを特徴とする請求の範囲第７項記載のデータ・パケットスイッチ。
【請求項９】
前記変換手段がさらに、少なくとも前記時間インターバルの間、互いに異なる第１値と第２値双方を第３値に変換するための部材を有していることを特徴とする請求の範囲第７項記載のデータ・パケットスイッチ。
【請求項１０】
ハンドオーバー手続の間、移動端末が、第１リンクを通して第１ベース局に結合されることができ、第２リンクを通して第２ベース局に結合されることができ、該移動端末が、ハンドオーバー手続の開始前に第１ベース局に無線接続され、ハンドオーバー手続の終了後に第２ベース局に無線接続されるデータ・パケットの交換方法であって、
第１リンクを通して第１データ・パケットを受信し、それに応じて第３リンクを通して第３データ・パケットを送信するステップと、
第２リンクを通して第２データ・パケットを受信し、それに応じて第３リンクを通して第３データ・パケットを送信するステップとからなり、
前記第１データ・パケットは第１ヘッダー部と第１データ部からなり、第２データ・パケットは第２ヘッダー部と第２データ部からなり、第３データ・パケットは第３ヘッダー部と第３データ部からなり、
前記方法は、更に、ハンドオーバー手続中の所定の時間、前記第１リンク及び第２リンクが前記第３リンクに接続され、且つ、少なくとも一部のハンドオーバー手続の間、第１・第２ヘッダー部の両方を第３ヘッダー部に変換するステップを有し、第３データ部が少なくとも第１データ部と第２データ部の一方の少なくとも一部からなることを特徴とするハンドオーバー手続の間、データ・パケットを交換するための方法。
【請求項１１】
少なくとも一部のハンドオーバー手続の間、第４リンクを通って到着する第４データ・パケットの第４ヘッダー部を、第１リンクを通って送信される第５データ・パケットの第５ヘッダー部と第２リンクを通って送信される第６データ・パケットの第６ヘッダー部の両方に変換するステップを更に有することを特徴とする請求の範囲第１０項記載の方法。
【請求項１２】
第１データ・パケットの第１ヘッダー部がそれぞれ第１値からなるＩＤ部を有し、第２データ・パケットの第２ヘッダー部がそれぞれ第２値からなるＩＤ値を有し、第３データ・パケットの第３ヘッダー部がそれぞれ第３値からなるＩＤ値を有していることを特徴とする請求の範囲第１０項記載の方法。
【請求項１３】
少なくとも一部のハンドオーバー手続の間、互いに等しい第１値と第２値双方を第３値に変換するステップを有していることを特徴とする請求の範囲第１２項記載の方法。
【請求項１４】
少なくとも一部のハンドオーバー手続の間、互いに異なる第１値と第２値双方を第３値に変換するステップを有していることを特徴とする請求の範囲第１２項記載の方法。
【発明の詳細な説明】
〔産業上の利用分野〕
本発明は、ハンドオーバー（ｈａｎｄｏｖｅｒ）手続の開始前に第１ベース局に無線接続され、ハンドオーバー手続の終了後に第２ベース局に無線接続される携帯端末をもった、少なくとも第１・第２の無線通信用ベース局からなる遠隔通信システムに関するものである。第１ベース局は第１リンクを通ってデータ・パケットスイッチに接続でき、第２ベース局は第２リンクを通ってデータ・パケットスイッチに接続できる。第１データ・パケットは第１ヘッダー部と第１データ部からなる第１リンクを通って、第２データ・パケットは第２ヘッダー部と第２データ部からなる第２リンクを通って、および第３データ・パケットは第３ヘッダー部と第３データ部からなる第３リンクを通ってそれぞれ到着する。
このような遠隔通信システムは一般に公知である。通信の間の移動の結果、携帯端末が、第１ベース局の第１カバーエリアと第２べース局の第２カバーエリアの重なり部に入ってくると、ハンドオーバー手続が始まる。ハンドオーバー手続の開始前、第１リンクを通って第１ベース局からデータ・パケットスイッチへ第１データ・パケットが流れ、次に第３リンクを通って第３データ・パケットが送られる。ハンドオーバー手続の終了後、第２リンクを通って第２ベース局からデータ・パケットスイッチへ第２データ・パケットが流れ、次に第３リンクを通って第３データ・パケットが送られる。各ベース局にはデータ・パケットを緩衝するバッファーがあるので、ハンドオーバー手続の間、特に携帯端末と第１ベース局との間の第１無線接続の停止および携帯端末と第２ベース局との間の第２無線接続の時間あたりに、データ・パケットが失われることが起こり得る。データ・パケットが失われるのを防ぐため２つの解決策が提案されてきた。
第１の解決策によれば、データ・パケットスイッチと並列に分析・変換装置（いわゆるＵＭＴＳモビリティ・サーバーあるいはＵＭＳ、ここでＵＭＴＳはユニバーサル・モビール遠隔システムの略称）を設ける。ハンドオーバー手続の間、分析・変換装置はデータ・パケットスイッチを通して両方のベース局から全データ・パケットを受信し、それらのデータ・パケット内の情報を分析し、それらを結合し変換する。その後、こうして得られた第３データ・パケットの流れがデータ・パケットスイッチを通して送られる。さらに他の分析・変換装置も使う必要があることと、分析・結合・変換に使われる時間はさておき、この分析・変換装置は、ハンドオーバー手続の間、データ・パケットスイッチの３つの余分な接続を加えなければならないという欠点をもっている。これにより、データ・パケットスイッチの機能が著しく損なわれる。あるいは、ハンドオーバー手続の間だけでなく全通信の間にも、ベース局とデータ・パケットスイッチの間にある位置に設けなければならないという欠点をもっている。
第２の解決策によれば、データ・パケットスイッチが、第１ベース局の第１バッファーが完全に空である時点に、第１リンクと第３リンクの結合を解き、第２ベース局の第２バッファーが緩衝することのみを許され、貫通することを許されていない時点までの間、上記時点と同時に、第２リンクと第３リンクを結合させ、その時点から第２リンクを通して通信用に貯えたデータ・パケットを発生する。この第２の解決案（いわゆる同期交換）は、異なる場所で非常に正確に同時操作を達成しなければならないという欠点を有している。これは非常に干渉を受けやすい。
〔発明の構成〕
本発明の目的は、とりわけ、分析・変換装置も使わず、異なった場所で非常に正確に同時操作を行う必要もない上記タイプの遠隔通信システムを提供することにある。
本発明の遠隔通信システムは、データ・パケットスイッチが、少なくとも一部のハンドオーバー手続の間、第１・第２ヘッダー部の両方を第３ヘッダー部に変換するための変換部材を有し、第３データ部が少なくとも第１データ部と第２データ部の一方の少なくとも一部からなることを特徴としている。
変換部材を用いることにより、少なくとも一部のハンドオーバー手続の間、第１・第２リンクの両方が第３リンクに結合される結果、非常に正確にスイッチする必要はもはやなくなり、余分な分析・変換装置も使う必要がなくなる。第１・第２ヘッダー部の両方を第３ヘッダー部に変換することは、データ・パケットスイッチ内に第１リンクに関した第１テーブルと第２リンクに関した第２テーブルを付与することにより、簡単に実現できる。第１テーブルの左欄は第１ヘッダー部からなり、第２テーブルの左欄は第２ヘッダー部からなり、右欄も同一で、これは次に第３ヘッダー部からなるべきものである。ここで、第３データ部は一般に第１データ部または第２データ部の一方からなるが、その例外もあり得る。
本発明は、とりわけ、少なくとも一部のハンドオーバー手続の間、第１・第２リンクの両方が第３リンクに結合されるなら、公知の２つの解決策が両方とも不要になるという洞察に基づいている。これはそれ自身すでに有利なことだが、さらに上記従来技術の欠点が除かれる。
こうして、第１・第２データ・パケットの両方を第３リンクの方に接続し、第３データ・パケットとして送る時間の間、適切な手段、たとえばソフトウェアによってデータ・パケットスイッチを処理することにより、上記従来技術の欠点を除ける。
本発明の遠隔通信システムの第１実施例は、データ・パケットスイッチがさらに、少なくとも一部のハンドオーバー手続の間、第４リンクを通って到着する第４データ・パケットの第４ヘッダー部を、第１リンクを通って送られる第５データ・パケットの第５ヘッダー部と第２リンクを通って送られる第６データ・パケットの第６ヘッダー部の両方に変換するための変換部材を有していることに特徴がある。
少なくとも一部のハンドオーバー手続の間、さらに変換部材を用いることにより第４リンクが第１・第２リンクの両方に結合される結果、携帯端末用のデータ・パケットが第１・第２ベース局の両方に供給され、これが過度に正確に交換する必要性をなくさせる。ここで、第４リンクは一般に第３リンクに相当する。第４データ・パケットの第４ヘッダー部の、第５データ・パケットの第５ヘッダー部および第６データ・パケットの第６ヘッダー部両方への変換は、簡単な手段、たとえば第４ヘッダー部に対する左欄、第５ヘッダー部に対する中欄および第６ヘッダー部に対する右欄をもつ３欄テーブル・メモリーによって実現できる。
本発明の遠隔通信システムの第２実施例は、第１データ・パケットの第１ヘッダー部がそれぞれ第１値からなるＩＤ（ｉｄｅｎｔｉｆｉｃａｔｉｏｎ）部を有し、第２データ・パケットの第２ヘッダー部がそれぞれ第２値からなるＩＤ部を有し、第３データ・パケットの第３ヘッダー部がそれぞれ第３値からなるＩＤ部を有することに特徴がある。
この第２例によれば、各ヘッダー部はそれ自身のＩＤ部、たとえばｖｐｉ／ｖｃｉ（仮想パスＩＤ／仮想回路ＩＤ）からなる。
本発明の遠隔通信システムの第３実施例は、互いに等しい第１値と第２値双方を第３値に変換するための部材を有することを特徴とする。
ここで、さらに、双方のベース局が互いに等しい第１・第２値をデータ・パケットスイッチに送るため、少なくともベース局の一方に部材が付加される。これにより、２つの異なる第１・第２値を考慮する必要がなくなるので、データ・パケットスイッチの制御が簡単になる。
第４実施例は、変換部材が更に、互いに異なる第１・第２双方を第３値に変換するための部材を有することを特徴とする。
ここで、データ・パケットスイッチの制御部は互いに異なる第１・第２値を第３値に変換する必要性を知らされているので、余分な部材はどちらのベース局にも要らない。
本発明はさらに、第１リンクを通して第１データ・パケットを受信し、それに対応して、第３リンクを通して第３データ・パケットを送信し、第２リンクを通して第２データ・パケットを受信し、それに対応して、第４リンクを通して第４データ・パケットを送信するためのデータ・パケットスイッチに関するものである。
このようなデータ・パケットスイッチは一般に公知である。第１データ・パケットは第１リンクを通して受信され、それに対応して第３データ・パケットが第３リンクを通って送信される。第２データ・パケットが第２リンクを通して受信され、それに対応して第４データ・パケットが第４リンクを通って送信される。このようなデータ・パケットスイッチ、たとえばＭＳＣ（Ｍｏｂｉｌｅ  Ｓｗｉｔｃｈｉｎｇ  Ｃｅｎｔｒｅ）としてハンドオーバー手続の間、遠隔通信システムに使われるようなものは、分析・変換装置を用いたり、あるいは異なる場所で非常に正確に同時操作を遂行することを要求する。
本発明の目的はさらに、分析・変換装置も用いず、異なる場所で非常に正確な同時操作も行わない上記タイプのデータ・パケットスイッチを提供することにある。
本発明のデータ・パケットスイッチは、少なくともある時間インタバルの間、第１・第２ヘッダー部双方を第３ヘッダー部に変換するための部材を有し、第３データ部が少なくとも第１・第２データ部の一方の少なくとも一部からなることを特徴とする。変換部材を用いて第１・第２リンク双方を第３リンクに結合させる結果、非常に正確に交換することも、余分な分析・変換装置を使うことも不要になる。第１・第２ヘッダー部の第３ヘッダー部への変換は、データ・パケットスイッチに、左欄が第１ヘッダー部からなる第１リンクに関する第１テーブル、および左欄が第２ヘッダー部からなり、右欄が次に第３ヘッダー部からなる第２リンクに関する第２テーブルを付与することにより簡単に実現できる。ここで、第３データ部は一般に第１・第２データ部のいずれかからなるが、例外もあり得る。本発明のデータ・パケットスイッチを前記ＭＳＣとして遠隔通信システムに用いる際、時間インタバルはハンドオーバー手続のある一部を遂行するのに要する時間によって決められる。
本発明のデータ・パケットスイッチの第１実施例は、第１データ・パケットの第１ヘッダー部がそれぞれ第１値からなるＩＤ部を有し、第２データ・パケットの第２ヘッダー部がそれぞれ第２値からなるＩＤ部を有し、第３データ・パケットの第３ヘッダー部がそれぞれ第３値からなるＩＤ部を有することに特徴がある。
第１実施例によれば、各ヘッダー部はたとえば前記ｖｐｉ／ｖｃｉのようなそれ自身のＩＤ部からなる。
第２実施例は、互いに等しい第１・第２値を第３値に変換するための部材を有することに特徴がある。
ここで、互いに等しい第１・第２値をデータ・パケットスイッチに送信するため、他の部材が供給される。これにより、２つの異なる第１・第２値を考慮する必要がないので、データ・パケットスイッチの制御が簡単になる。
第３実施例は、さらに、互いに異なる第１・第２値を第３値に変換するための部材を有することに特徴がある。
ここで、データ・パケットスイッチの制御部が互いに異なる第１・第２値の第３値への変換の必要性を知らされているので、他の部材をベース局に設ける必要はない。
本発明はさらに、
第１リンクを通して第１データ・パケットを受信し、それに対応して第３リンクを通して第３データ・パケットを送信し、
第２リンクを通して第２データ・パケットを受信し、それに対応して第３リンクを通して第３データ・パケットを送信するステップからなり、第１データ・パケットは第１ヘッダー部と第１データ部からなり、第２データ・パケットは第２ヘッダー部と第２データ部からなり、第３データ・パケットは第３ヘッダー部と第３データ部からなる。
ハンドオーバー手続の開始前に第１ベース局に無線接続され、ハンドオーバー手続の終了後に第２ベース局に無線接続される無線通信のための携帯端末を備えた、第１リンクを通して第１ベース局に接続され、第２リンクを通して第２ベース局に接続され得るデータ・パケットスイッチを通して、ハンドオーバー手続の間、データ・パケットを交換するための方法に関するものである。
本発明の方法は、少なくとも一部のハンドオーバー手続の間、第１・第２ヘッダー部双方を第３ヘッダー部に変換するためのステップを有し、第３データ部が第１・第２データ部の少なくとも一方の、少なくとも一部からなることを特徴とする。
本発明の方法の第１実施例は、第４リンクを通って到着する第４データ・パケットの第４ヘッダー部を、第１リンクを通って送られる第５データ・パケットの第５ヘッダー部と第２リンクを通って送られる第６データ・パケットの第６ヘッダー部の双方に変換するステップを有することを特徴とする。
第２実施例は、第１データ・パケットの第１ヘッダー部がそれぞれ第１値からなるＩＤ部を有し、第２データ・パケットの第２ヘッダー部がそれぞれ第２値からなるＩＤ部を有し、第３データ・パケットの第３ヘッダー部がそれぞれ第３値からなるＩＤ部を有することに特徴がある。
第３実施例は、少なくとも一部のハンドオーバー手続の間、互いに等しい第１・第２値双方を第３値に交換するステップからなることに特徴がある。
第４実施例は、互いに異なる第１・第２値双方を第３値に変換するステップからなることに特徴がある。
米国特許５，３８１，４０９号および欧州特許０４５０７０８号は高内部レートをもつＡＴＭスイッチを開示している。本発明のデータ・パケットスイッチはここには開示されていない。
〔参考文献〕
（１）米国特許５，３８１，４０９号
（２）欧州特許０４５０７０８号
上記参考文献に引用されている文献も含めて、すべての参考文献の内容が本発明中に具体化されている。
〔実施例〕
以下、図面を用いて本発明をより具体的に説明する。
図１は本発明のデータ・パケットスイッチからなる遠隔通信システムを示す。図１の本発明の遠隔通信システムは、無線リンク２を通して第１ベース局３に無線接続されるか、あるいは無線リンク５を通して第２ベース局６に無線接続される車内に置かれた移動端末１からなる。第１リンク４を通して、第１ベース局３は本発明のデータ・パケットスイッチ１０の第１二叉スイッチ１１の入出力に第１データ・パケットを供給し、第２リンク７を通して第２ベース局６はデータ・パケットスイッチ１０の第２二叉スイッチ１２の入出力に第２データ・パケットを供給する。第３リンク８は第３二叉スイッチ１３に接続され、第４リンク９は第４二叉スイッチ１４に接続されている。
データ・パケットスイッチ１０において、第１二叉スイッチ１１の出力がバッファー２１の入力に接続され、バッファー２１の出力はシフト・レジスター２３の入力に接続されている。シフト・レジスター２３の出力はスイッチ・ユニット３３の第１入力に接続されている。シフト・レジスター２３の第１入出力はコンパレーター２５の一方の側に接続され、第２入出力はコンパレーター２７の一方の側に接続され、コンパレーター２７の他方の側はテーブル・メモリー３２に接続されているバッファー・メモリー２９に接続されている。
第２二叉スイッチ１２の出力はバッファー２２の入力に接続され、バッファー２２の出力はシフト・レジスター２４の入力に接続されている。シフト・レジスター２４の出力はスイッチ・ユニット３３の第２入力に接続されている。シフト・レジスター２４の第１入出力はコンパレーター２６の一方の側に接続され、第２入出力はコンパレーター２８の一方の側に接続され、コンパレーター２８の他方の側はテーブル・メモリー３２に接続されているバッファー・メモリー３０に接続されている。
コンパレーター２５・２６の他方の側は互いに接続され、テーブル・メモリー３１に接続されている。スイッチ・ユニット３３の第３入力はデータ・パケット・ジェネレーター３４に接続されている。スイッチ・ユニット３３の第１出力は第３二叉スイッチ１３の入力に、第２出力は第４二叉スイッチ１４の入力に、第３出力はデータ・パケット・レシーバー３５にそれぞれ接続されている。
第３二叉スイッチ１３の出力がバッファー４１の入力に接続され、バッファー４１の出力はシフト・レジスター４３の入力に接続されている。シフト・レジスター４３の出力はスイッチ・ユニット５３の第１入力に接続されている。シフト・レジスター４３の第１入出力はコンパレーター４５の一方の側に接続され、第２入出力はコンパレーター４７の一方の側に接続され、コンパレーター４７の他方の側はテーブル・メモリー５２に接続されたバッファー・メモリー４９に接続されている。
第３二叉スイッチ１４の出力がバッファー４２の入力に接続され、バッファー４２の出力はシフト・レジスター４４の入力に接続されている。シフト・レジスター４４の出力はスイッチ・ユニット５３の第２入力に接続されている。シフト・レジスター４４の第１入出力はコンパレーター４６の一方の側に接続され、第２入出力はコンパレーター４８の一方の側に接続され、コンパレーター４８の他方の側はテーブル・メモリー５２に接続されたバッファー・メモリー５０に接続されている。
コンパレーター４５・４６の他方の側は互いに接続され、テーブル・メモリー５１に接続されている。スイッチ・ユニット５３の第３入力はデータ・パケット・ジェネレーター５４に接続されている。スイッチ・ユニット５３の第１出力は第１二叉スイッチ１１の入力に、第２出力は第４二叉スイッチ１２の入力に、第３出力はデータ・パケット・レシーバー５５にそれぞれ接続されている。
さらに、データ・パケットスイッチ１０内には、シフト・レジスター２３・２４・４３・４４、コンパレーター２５・２６・２７・２８・４５・４６・４７・４８、バッファー・メモリー２９・３０・４９・５０、テーブル・メモリー３１・３２・５１・５２、スイッチ・ユニット３３・５３、データ・パケット・ジェネレーター３４・５４、およびデータ・パケット・レシーバー３５・５５に接続された、これらの部材２３〜３５・４３〜５５によって情報を得て、かつこれらの部材に指示を供給するためのプロセッサー１００が備えられている。一方の側と他方の側にある信号を比較することができるという機能とは別々に、コンパレーター２５〜２８・４５〜４８はそれぞれ一方の側から他方の側へ、および逆方向に信号を進めることができるように、プロセッサー１００の制御の下、一方の側を他方の側と相互接続することができるオプションを処置する。このオプションは、スイッチを一方の側と他方の側の間に設けることにより、当業者には容易に実現できる。
ハンドオーバー手続の開始前の図１の遠隔通信システムの操作は次の通りである。移動端末１が通信の間、第１ベース局３の第１カバーエリア内にある時、移動端末１は無線リンク２を通してアナログ／デジタル情報を第１ベース局３に送る。第１ベース局３はこの情報を第１データ・パケットに変換し、第１リンク４を通して第１二叉スイッチ１１に送る。第１二叉スイッチ１１を通して第１データ・パケットはバッファー２１に到達し、一つずつシフト・レジスター２３に供給される。１つの完全な第１データ・パケットがシフト・レジスター２３に入るや否や、プロセッサー１００に知らされ、プロセッサー１００はテーブル・メモリー３２に指示を出して、左欄にあるヘッダー部を発生させ、バッファーメモリー２９にそれらを供給させる。ヘッダー部毎にコンパレータ２７はシフト・レジスター２３内にあるデータ・パケットのヘッダー部と比較し、等しい場合には、コンパレーター２７からプロセッサー１００に知らさせる。ベース局からデータ・パケットが直接発生し、移動端末から間接的に発生するので、プロセッサー１００はテーブル・メモリー３２に、右欄にある新しいヘッダー部を発生してそれをバッファー・メモリー２９に送るように指示する。次にプロセッサー１００はコンパレーター２７に相互接続の状態を引き受けさせた後、古いヘッダー部に代えて新しいヘッダー部をシフト・レジスター２３に据える。その結果、シフト・レジスター２３内の第１データ・パケットは第３データ・パケットに変換され、第１入力を通ってスイッチ・ユニット３３に供給され、第１出力を通って第３二叉スイッチ１３に加えられる。その後、第３データ・パケットは第３リンク８を通って送信される。
第３リンク８を通って到来すると、移動端末１のための第４データ・パケットは第３二叉スイッチ１３を通過し、バッファー４１に達し、一つずつシフト・レジスター４３に送られる。
１つの完全な第４データ・パケットがシフト・レジスター４３に入るや否や、プロセッサー１００に知らされ、プロセッサー１００はテーブル・メモリー５２に指示を出して左欄にあるヘッダー部を発生させ、バッファーメモリー４９にそれらを供給させる。ヘッダー部毎にコンパレーター４７はシフト・レジスター４３内にあるデータ・パケットのヘッダー部と比較し、等しい場合には、コンパレーター４７からプロセッサー１００に知らされる。そのデータ・パケットが移動端末に対するものであることがいまや分かっているので、プロセッサー１００はテーブル・メモリー５２に右欄にある新しいヘッダー部を発生させ、それをバッファー・メモリー４９に送らせる。その新しいヘッダー部はそのデータ・パケットが第１ベース局３に送られるべきことを指示する。次にプロセッサー１００はコンパレーター４７に相互接続の状態を引き受けさせた後、古いヘッダー部に代えて新しいヘッダー部をシフト・レジスター４３に据える。その結果、シフト・レジスター４３内の第４データ・パケットは第５データ・パケットに変換され、第１入力を通ってスイッチ・ユニット５３に供給され、第１出力を通って第１二叉スイッチ１１に加えられる。その後、第５データ・パケットは第１リンク４を通って送信される。
図１の遠隔通信システムの、ハンドオーバー手続の終了後の操作は次の通りである。通信の間、移動端末１は第２ベース局６の第２カバーエリアにあり、アナログ／デジタル情報を無線リンク５を通して第２ベース局６に送る。第２ベース局６はその情報を第２データ・パケットに変換し、第２リンク７を通して第２二叉スイッチ１２に送る。第２二叉スイッチ１２を通して第２データ・パケットはバッファー２２に到達し、一つずつシフト・レジスター２４に供給される。１つの完全な第２データ・パケットがシフト・レジスター２４に入るや否や、プロセッサー１００に知らされ、プロセッサー１００はテーブル・メモリー３２に指示を出して、左欄にあるヘッダー部を発生させ、バッファーメモリー３０にそれらを供給させる。ヘッダー部毎にコンパレーター２８はシフト・レジスター２４内ににあるデータ・パケットのヘッダー部と比較し、等しい場合には、コンパレーター２８からプロセッサー１００に知らされる。ベース局からデータ・パケットが直接発生し、移動端末から間接的に発生するので、プロセッサー１００はテーブル・メモリー３２に、右欄にある新しいヘッダー部を発生してそれをバッファー・メモリー３０に送るように指示する。次にプロセッサー１００はコンパレーター２８に相互接続の状態を引き受けさせた後、古いヘッダー部に代えて新しいヘッダー部をシフト・レジスター２４に据える。その結果、シフト・レジスター２４内の第２データ・パケットは第３データ・パケットに変換され、第２入力を通ってスイッチ・ユニット３３に供給され、第１出力を通って第３二叉スイッチ１３に加えられる。その後、第３データ・パケットは第３リンク８を通って送信される。
第３リンク８を通って到来すると、移動端末１のための第４データ・パケットは第３二叉スイッチ１３を通過し、バッファー４１に達し、一つずつシフト・レジスター４３に送られる。
１つの完全な第４データ・パケットがシフト・レジスター４３に入るや否や、プロセッサー１００に知らされ、プロセッサー１００はテーブル・メモリー５２に指示を出して、左欄にあるヘッダー部を発生させ、バッファー・メモリー４９にそれらを供給させる。ヘッダー部毎にコンパレータ４７はシフト・レジスター４３内にあるデータ・パケットのヘッダー部と比較し、等しい場合には、コンパレーター４７からプロセッサー１００に知らされる。そのデータ・パケットが移動端末に対するものであることがいまや分かっているので、プロセッサー１００はテーブル・メモリー５２に右欄にある新しいヘッダー部を発生させ、それをバッファー・メモリー４９に遅らせる。その新しいヘッダー部はそのデータ・パケットが第２ベース局６に送られるべきことを指示する。次にプロセッサー１００はコンパレータ４７に相互接続の状態を引き受けさせた後、古いヘッダー部に代えて新しいヘッダー部をシフト・レジスター４３に据える。その結果、シフト・レジスター４３内の第４データ・パケットは第５データ・パケットに変換され、第１入力を通ってスイッチ・ユニット５３に供給され、第２出力を通って第２二叉スイッチ１２に加えられる。その後、第５データ・パケットは第２リンク７を通って送信される。
上記ハンドオーバーの開始前と終了後とにおける遠隔通信システムの動作を比較してみると、相違は次の通りである。移動端末１はいまや第１ベース局３の第１カバーエリアと第２ベース局６の第２カバーエリアの重なり部に位置しているので、移動端末１はまず、アナログ／デジタル情報を無線リンク２を通して第１ベース局３に送信し続ける。第１ベース局３はこの情報を第１データ・パケットに変換し、第１リンク４を通して第１二叉スイッチ１１に送る。その後、すでに記したように、第１データ・パケットは第３データ・パケットに変換され、第３リンク８を通して送信される。しかし、移動端末１は重なり部に位置しているため、第２ベース局６からコード・メッセージを受信し、それに基づいて移動端末１は、第２ベース局６と結合する無線リンク５が第１ベース局３と結合する無線リンク２よりもあらゆる確率においてより良い無線クォリティーを提供すると決める。それに応じて、移動端末１は無線リンク２を通して第１ベース局３にアナログ／デジタル・コード情報を送信する。第１ベース局３はこれを信号データ・パケットに変換し、第１リンク４を通して第１二叉スイッチ１１に送る。第１二叉スイッチ１１を通って、信号データ・パケットはバッファー２１に達し、シフト・レジスター２３に送られる。このパケットが完全にシフト・レジスター２３に入るや否や、プロセッサー１００に知らされ、プロセッサー１００はテーブル・メモリー３２に指示を出して、左欄にあるヘッダー部を発生させ、バッファー・メモリー２９にそれらを供給させる。ヘッダー部毎にコンパレーター２７はシフト・レジスター２３内にあるデータ・パケットのヘッダー部と比較し、等しい場合には、コンパレーター２７からプロセッサー１００に知らされる。いまやプロセッサー１００に、信号データ・パケットを含むことが知らされているので、その内容が分析される。これは少なくとも二つの異なった方法で行われる。
第一に、プロセッサー１００はシフト・レジスター２３に、信号データ・パケットをスイッチ・ユニット３３に送るように指示する。信号データ・パケットは第１入力を通ってスイッチ・ユニット３３に入り、第２出力を通ってデータ・パケット・レシーバー３５に蓄えられ、分析される。レシーバー３５はプロセッサー１００に、移動端末１が古い第１ベース局３と新しい第２ベース局６とともにハンドオーバー手続中であると、信号データ・パケットの内容が示していることを知らせる。
第二に、プロセッサー１００はテーブル・メモリー３１に、左欄にあるデータ部を発生し、それらを続けてコンパレーター２５に送るように指示する。コンパレーター２５はデータ部毎に信号データ・パケットのデータ部と比較し、等しい場合にはプロセッサー１００にそれを知らせる。その結果、いまやプロセッサー１００は、信号データ・パケットの内容が、移動端末１が古い第１ベース局と新しい第２ベース局６とともにハンドオーバー手続中であると示していることが、知らされている。
こうしてプロセッサー１００は移動端末１がベース局３・６とともにハンドオーバー手続中であることを知る。次にデータ・パケットスイッチ１０は（少なくとも一部の）ハンドオーバー手続の間、第１リンク４を通って到来する第１データ・パケットと第２リンク７を通って到来する第２データ・パケットの双方を第３データ・パケットに変換して、第３リンク８を通して送信する。これは再び、少なくとも２つの方法で示される。
第一に、第１リンク４と第１二叉スイッチ１１とバッファー２５を通して到来する第１データ・パケットは、シフト・レジスター２３とテーブ・ルメモリー３２とバッファー・メモリー２９とコンパレーター２７を通して第３データ・パケットに変換され、第２リンク７と第２二叉スイッチ１２とバッファー２２を通して到来する第２データ・パケットは、シフト・レジスター２４とテーブル・メモリー３２とバッファー・メモリー３０とコンパレーター２８を通して第３データ・パケットに変換される。このようにして得られたすべての第３データ・パケットは、スイッチ・ユニット３３の第１・第２入力および第１出力と第３二叉スイッチ１３を通して、第３リンク８へ供給される。各データ・パケットの各ヘッダー部がたとえば前記ｖｐｉ／ｖｃｉのようなそれ自身のＩＤ部を有しているので、２つの状況が生じる。第１の状況によれば、第１データ・パケットの第１ヘッダー部はそれぞれ第１値からなる第１ＩＤ部を有し、第２データ・パケットのヘッダー部はそれぞれ第２値からなる第２ＩＤ部を有し、第１・第２値は互いに異なる。この場合、テーブル・メモリー３２の左欄の２行は異なる（第１・第２）値をもつが、右欄では２行とも同一の（第３）値をもつ。第２の状況によれば、第１ベース局３と第２ベース局６の間に生じたある通信の結果、第１・第２値は互いに等しい。この場合、テーブル・メモリー３２は２つの互いに等しい行を処置するか、あるいはバッファー・メモリー２９・３０双方の１行に蓄えられている情報を続けて供給することができる。
第二に、第１データ・パケットは第３データ・パケットに変換されるが、第２データ・パケットのデータ部はコンパレーター２６・２５を通して、その時には空であるシフト・レジスター２３内に置かれ、第２データ・パケットのヘッダー部はコンパレーター２８とバッファー・メモリー３０とテーブル・メモリー３２を通して調べられる。その後、相互接続の状態にあるコンパレータ２７とバッファー・メモリー２９を通してシフト・レジスター２３内に置かれ、それは次に第３データ・パケットとなる。このようにして得られたすべての第３データ・パケットはスイッチ・ユニット３３の第１入力および第１出力と第３二叉スイッチ１３を通して第３リンク８に供給される。各データ・パケットの各ヘッダー部は前記ｖｐｉ／ｖｃｉのようなそれ自身のＩＤ部を有しているので、もう一度、上記の２つの状況が生じる。
プロセッサー１００が第１・第２ベース局３・６とともに移動端末１がハンドオーバー手続中であることを知ったとき、第４データ・パケットは第３二叉スイッチ１３を通り、バッファー４１に到来し、一つずつシフト・レジスター４３に供給される。
１つの完全な第４データ・パケットがシフト・レジスター４３に入るや否やプロセッサー１００に知らされ、プロセッサー１００はテーブル・メモリー５２に指示を出して、左欄にあるヘッダー部を発生させ、バッファーメモリー４９にそれらを供給させる。ヘッダー部毎にコンパレーター４７はシフト・レジスター４３内にあるデータ・パケットのヘッダー部と比較し、等しい場合には、コンパレーター４７からプロセッサー１００に知らされる。そのデータ・パケットが移動端末に対するものであることがいまや分かっているので、プロセッサー１００はテーブル・メモリー５２に指示して、第４ヘッダー部と同一行にあるが中欄にある第５ヘッダー部と、第４ヘッダー部と同一行にあるが右欄にある第６ヘッダー部の双方を発生させる。第５ヘッダー部は次にシフト・レジスター４３内に置かれ、第６ヘッダー部は次に、その時は空であるシフト・レジスター４４内に置かれる。
さらに、プロセッサー１００はコンパレータ４５・４６に指示してそれらを相互接続の状態にさせた後、第４データ・パケットのデータ部はコンパレータ４５・４６を通してシフト・レジスター４４にコピーを移される。その結果、シフト・レジスター４３内には第５データ・パケットが置かれ、スイッチ・ユニット５３と第１二叉スイッチ１１と第１リンク４を通して第１ベース局３に供給される。また、シフト・レジスター４４内には第６データ・パケットが置かれ、スイッチ・ユニット５３と第２二叉スイッチ１２と第２リンク７を通して第２ベース局６に供給される。
ここでまた、第４データ・パケットを第５・第６データ・パケットの変換するための他の方法も考えられる。たとえば、シフト・レジスター４４を使うことなくコピーすることもできる。この場合、第４データ・パケットのデータ部のコピーはテーブル・メモリー５１に一時蓄えられるが、第５ヘッダー部はシフト・レジスター４３に置かれる。このようにして得られた第５データ・パケットは次にスイッチ・ユニット５３を通して第１ベース局３に送られた後、テーブル・メモリー５１に一時蓄えられたデータ部のコピーがいまは空のシフト・レジスター４３に置かれ、第６ヘッダー部もシフト・レジスター４３に置かれる。第６データ・パケットは次にスイッチ・ユニット５３を通して第２ベース局６に送られる。この場合、シフト・レジスター４４は使われていない。さらに、もう、一つの行において第４ヘッダー部が左欄にあって第５ヘッダー部が右欄にあり、他方の行において第４ヘッダー部が左欄にあって第６ヘッダー部が右欄にあるなら、テーブル・メモリー５２内で３欄（別）を使うことは不要である。この場合、第４データ・パケットを第５データ・パケットに変換して送信した後、第６データ・パケットがなお構成されるべきであることをプロセッサー１００は記憶する。さらに、もし、第５ヘッダー部と第６ヘッダー部が完全に一致するなら、３欄の使用は不要である。この場合、第５データ部と第６データ部も一致する。次にプロセッサー１００は、第５・第６データ・パケットがそれぞれ第１・第２ベース局３・６に到来するように、スイッチ・ユニット５３を制御する。
第１ベース局３からの信号データ・パケットによってプロセッサー１００にハンドオーバー手続を知らせることは、多くのオプションの中の１つである。信号データ・パケットは第２ベース局６や、交換局のような他の（高次）施設から来てもいいし、プロセッサー１００は信号データ・パケット以外の図１に図示しないルートを通して、ハンドオーバー手続を知らされてもよい。
たとえば交換局から来る信号データ・パケットによって知らされる場合、プロセッサー１００はデータパケット・ジャネレーター５４に指示して、さらに信号データ・パケットを発生させ、スイッチ・ユニット５３と第１二叉スイッチ１１と第１リンク４を通して第１ベース局３にそれを送信する。データ・パケット・ジェネレーター３４によって、プロセッサー１００は次の信号データ・パケットを発生させ、スイッチ・ユニット３３と第４二叉スイッチ１４と第４リンク９を通して交換局のような（高次）の他の施設に送信する。
プロセッサー１００はまた、シフト・レジスター２３・２４・４３・４４の完全な充填を監視し、容量が非効率に使われるのを防ぐようにするため、バッファー２１・２２・４１・４２を制御する。
本発明の遠隔通信システムにおいて、本発明のデータ・パケットスイッチ１０は、少なくとも一部のハンドオーバー手続の間、第１・第２ヘッダー部双方を第３ヘッダー部に変換する機能を有し、ここで第３データ部は第１・第２データ部の少なくとも一方の少なくとも一部からなっている。図１の実施例において、該変換部材はプロセッサー１００と協力しながら作動する、シフト・レジスター２３・２４、コンパレーター２５・２６・２７・２８、バッファー・メモリー２９・３０、テーブル・メモリー３１・３２およびスイッチ・ユニット３３から構成されている。もちろん、他の実施態様も考えられる。
本発明のデータ・パケットスイッチ１０は、好ましくはさらに、第３リンク８を通って到来する第４データ・パケットの第４ヘッダー部を、第５データ・パケットの第５ヘッダー部および第６データ・パケットの第６ヘッダー部に変換するための部材を有している。図１の実施例では該もう一つの変換部材は、プロセッサー１００と協力しながら作動するシフト・レジスター４３・４４、コンパレーター４５・４６・４７・４８、バッファー・メモリー４９・５０、テーブル・メモリー５１・５２、およびスイッチ・ユニット５３から構成されている。もちろん、他の実施態様も考えられる。
【図１】
0003715323.tif 000002